(57)【要約】【課題】変圧器やドラム缶の曲面に対応し変圧器とドラム缶との間に横置きに設置することにより、確実に変圧器をドラム缶の中に固定することができる変圧器用支持脚を提供することを目的とする。【解決手段】柱上変圧器とドラム缶の内壁との間に介設する支持脚において、前記柱上変圧器を押圧する変圧器押圧部材１と、前記ドラム缶の内壁を押圧する缶押圧部材４と、前記変圧器押圧部材１と前記缶押圧部材４を支持する脚部材７と、前記脚部材７に介在させた圧縮バネ１３を備え、前記脚部８を前記圧縮バネ１３に挿通し、前記脚部８を前記変圧器押圧部３の凹部に嵌入させた後、前記調整筒部１０を回動させることによりその位置を調整する。【選択図】図１
2012248586.tif 000002
【特許請求の範囲】
【請求項１】
柱上変圧器とドラム缶の内壁との間に介設する支持脚において、
前記柱上変圧器を押圧する変圧器押圧部材と、前記ドラム缶の内壁を押圧する缶押圧部材と、前記変圧器押圧部材と前記缶押圧部材を支持する脚部材と、前記脚部材に介在させた圧縮バネを備え、
前記缶押圧部材は、缶押圧部と、該缶押圧部に固定された缶押圧面を有し、
前記脚部材は、前記缶押圧面とは反対側の前記缶押圧部に固定されかつ外周面におねじを設けた脚部と、内周面にめねじを設け前記脚部に螺合された調整筒部を有し、
前記変圧器押圧部材は、円筒状の凹部を有する変圧器押圧部と、前記円筒状の凹部とは反対側に固定された凹部を有する変圧器押圧面を有し、
前記脚部を前記圧縮バネに挿通し、前記脚部を前記変圧器押圧部の凹部に嵌入させた後、前記調整筒部を回動させることによりその位置を調整することを特徴とする変圧器用支持脚。
【請求項２】
前記脚部は長手方向に縦長形状をした貫通孔を有し、前記変圧器押圧部は一対の孔を有し、ボルトを一方の前記孔から前記貫通孔を経由して他方の前記孔に挿通し、ナット留めすることを特徴とする請求項１に記載の変圧器用支持脚。
【請求項３】
前記変圧器押圧面は、発泡プラスチック材よりなることを特徴とする請求項１〜２に記載の変圧器用支持脚。
【請求項４】
前記缶押圧部は、高反発性材よりなることを特徴とする請求項１〜３に記載の変圧器用支持脚。
【請求項５】
前記缶押圧面は、粘着性材よりなることを特徴とする請求項１〜４に記載の変圧器用支持脚。
【発明の詳細な説明】
【技術分野】
【０００１】
本発明は、柱上変圧器とドラム缶の内壁との間に介設する支持脚であって、ドラム缶内に柱上変圧器を固定するための変圧器用支持脚に関する。
【背景技術】
【０００２】
配電部門における一般住宅等への供給方式として，6.6kV/100V・200V柱上変圧器（以下「変圧器」）を使用しており，変圧器内には絶縁油が入っている。この絶縁油は消防法により「第四石油類」と定められており，変圧器に密封されることで運搬容器への格納が省略されている。
【０００３】
よって，損傷・発錆等により絶縁油の密封が困難と判断した場合，変圧器をドラム缶に格納し，密閉した状態で運搬している。
【０００４】
しかしながら，ドラム缶に変圧器を格納しただけでは，運搬時における振動・揺れ等により，変圧器とドラム缶内壁が接触し，ドラム缶の損傷等が懸念される。そのため，ドラム缶に格納した変圧器を固定する技術が必要とされた。
【０００５】
このような場合、従来はドラム缶と変圧器との間に緩衝材としてネットに入れた仮埋め戻し材やタイヤチューブを詰めていた。しかし、ネットに入れた仮埋め戻し材は変圧器の突起物に引っかかり作業性が悪かった。一方、タイヤチューブはエアーコンプレッサがないと膨らませられず、また、変圧器の突起でパンクするおそれもあった。
【０００６】
この問題を解決するための技術としては、「床材用支持脚」(特許文献１)がある。本発明は、２枚の木質板の間に衝撃吸収板を介設した支持板と、該支持板の下方に圧縮バネを介在させて設けた脚体とを有し、支持板における衝撃吸収板の制振作用と、脚体と支持板とを独立させて装備させるための圧縮バネの制振作用により確実に振動を吸収して、階下への伝播音の大きさを確実に抑えるものである。
【先行技術文献】
【特許文献】
【０００７】
【特許文献１】特開２００９−２５６９８９号公報
【発明の概要】
【発明が解決しようとする課題】
【０００８】
しかし、この「床材用支持脚」は、床スラブと床板の間に垂直に立てて用いるものである。よって、変圧器をドラム缶の中に固定するために変圧器とドラム缶との間に横置きに設置しようとしても、変圧器やドラム缶の曲面に対応できず脱落してしまう。
【０００９】
したがって、本発明は、変圧器やドラム缶の曲面に対応し変圧器とドラム缶との間に横置きに設置することにより、確実に変圧器をドラム缶の中に固定することができる変圧器用支持脚を提供することを目的とする。
【課題を解決するための手段】
【００１０】
請求項１の発明に係る変圧器用支持脚は、柱上変圧器とドラム缶の内壁との間に介設する支持脚において、前記柱上変圧器を押圧する変圧器押圧部材と、前記ドラム缶の内壁を押圧する缶押圧部材と、前記変圧器押圧部材と前記缶押圧部材を支持する脚部材と、前記脚部材に介在させた圧縮バネを備え、前記缶押圧部材は、缶押圧部と、該缶押圧部に固定された缶押圧面を有し、前記脚部材は、前記缶押圧面とは反対側の前記缶押圧部に固定されかつ外周面におねじを設けた脚部と、内周面にめねじを設け前記脚部に螺合された調整筒部を有し、前記変圧器押圧部材は、円筒状の凹部を有する変圧器押圧部と、前記円筒状の凹部とは反対側に固定された凹部を有する変圧器押圧面を有し、前記脚部を前記圧縮バネに挿通し、前記脚部を前記変圧器押圧部の凹部に嵌入させた後、前記調整筒部を回動させることによりその位置を調整することを特徴とする。
【００１１】
これによれば、圧縮バネが強い伸張力で変圧器及びドラム缶を押圧し、変圧器とドラム缶の曲面との間に変圧器用支持脚を横置きに設置することができる。
【００１２】
請求項２の発明に係る変圧器用支持脚は、請求項１に記載の変圧器用支持脚において、前記脚部が長手方向に縦長形状をした貫通孔を有し、前記変圧器押圧部は一対の孔を有し、ボルトを一方の前記孔から前記貫通孔を経由して他方の前記孔に挿通し、ナット留めすることを特徴とする。
【００１３】
これによれば、変圧器押圧部材が脚部より脱落するのを防止することができる。
【００１４】
請求項３の発明に係る変圧器用支持脚は、請求項１〜２に記載の変圧器用支持脚において、前記変圧器押圧面が発泡プラスチック材よりなることを特徴とする。
【００１５】
これによれば、発泡プラスチック材は軽く丈夫で、変圧器の凸曲面を押圧しても変形やひび割れすることなく、また、滑らない。
【００１６】
請求項４の発明に係る変圧器用支持脚は、請求項１〜３に記載の変圧器用支持脚において、前記缶押圧部が高反発性材よりなることを特徴とする。
【００１７】
これによれば、缶押圧部が凹曲面に応じて変形することで圧力を均等に分散することができる。
【００１８】
請求項５の発明に係る変圧器用支持脚は、請求項１〜４に記載の変圧器用支持脚において、前記缶押圧面が粘着性材よりなることを特徴とする。
【００１９】
これによれば、変圧器用支持脚をドラム缶の内壁に粘着させることができる。
【発明の効果】
【００２０】
本発明によれば、凹部を有する変圧器押圧面により変圧器の凸曲面を安定して支持し、調整筒部を回動させることにより圧縮バネの伸張力を調整することができるので、変圧器とドラム缶の曲面との間に変圧器用支持脚を横置きに設置し、確実に変圧器をドラム缶の中に固定することができる。
【図面の簡単な説明】
【００２１】
【図１】本発明に係る変圧器用支持脚の正面図である。
【図２】本発明に係る変圧器用支持脚の平面図である。
【図３】図２のＡ−Ａ断面図である。
【図４】本発明に係る調整筒部が上昇した変圧器用支持脚の正面図である。
【図５】本発明に係る圧縮バネが圧縮した変圧器用支持脚の正面図である。
【図６】本発明に係る変圧器用支持脚の使用フロー図である。
【図７】本発明に係る変圧器用支持脚の使用方法図１である。
【図８】本発明に係る変圧器用支持脚の使用方法図２である。
【図９】本発明に係る変圧器用支持脚の使用方法図３である。
【図１０】本発明に係る変圧器用支持脚の使用方法図４である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１は本発明に係る変圧器用支持脚の正面図、図２は本発明に係る変圧器用支持脚の平面図、図３は図２のＡ−Ａ断面図、図４は本発明に係る調整筒部１０が上昇した変圧器用支持脚の正面図、図５は本発明に係る圧縮バネ１３が圧縮した変圧器用支持脚の正面図である。
【００２４】
図１に示すように、変圧器用支持脚は、変圧器１５を押圧する変圧器押圧部材１と、変圧器１５を収容するドラム缶１６の内壁を押圧する缶押圧部材４と、変圧器押圧部材１と缶押圧部材４を支持する脚部材７と、脚部材７に介在させた圧縮バネ１３を備えている。
【００２５】
缶押圧部材４は、缶押圧部５と、缶押圧面６とは反対側の缶押圧部５の左右に接着により固定された二つの缶押圧面６を有する。缶押圧部５と缶押圧面６が一定の面積を有し、安定にドラム缶１６の内壁を押圧する。なお、缶押圧面６は缶押圧部５の左右に限らず、缶押圧部５一面に接着してもよい。
【００２６】
脚部材７は、脚部８と調整筒部１０を有する。脚部８は、缶押圧面６とは反対側の缶押圧部５にネジ留めにより固定され、かつ、外周面におねじが設けられている。この調整筒部１０は、内周面にめねじが設けられ、脚部８に螺合されている。
【００２７】
図１及び図４に示すように、調整筒部１０を回動させることにより脚部８における調整筒部１０の位置を調整し、変圧器用支持脚を伸縮することができる。なお、脚部８の缶押圧部５への固定方法は、ネジ留めに限らず接着など他の方法でも良い。
【００２８】
変圧器押圧部材１は、変圧器押圧部３と変圧器押圧面２を有する。変圧器押圧部３は円筒状の凹部を有する。また、変圧器押圧面２は、変圧器押圧部３の円筒状の凹部とは反対側にネジ留めにより固定されている。変圧器押圧面２が凹部を有することより、変圧器１５の凸曲面との密着性を向上させ荷重の分散を図るため、ずれることなく安定に変圧器１５を支持する。なお、変圧器押圧面２の変圧器押圧部３への固定方法は、ネジ留めに限らず接着など他の方法でも良い。
【００２９】
図１及び図４に示すように、脚部８を圧縮バネ１３に挿通し、脚部８を変圧器押圧部３の凹部に嵌入させた後、調整筒部１０を回動させることにより圧縮バネ１３の伸縮を調整することができる。
【００３０】
図１及び図５に示すように、この圧縮バネ１３が変圧器押圧部３と調整筒部１０に介在し伸縮することにより、変圧器押圧部材１は変圧器を押圧し確実に支持する。
【００３１】
図１に示すように、脚部８は長手方向に縦長形状をした貫通孔９を有し、変圧器押圧部３は一対の孔１２を有する。そして、図２、３に示すように、ボルト１１を一方の孔１２から貫通孔９を経由して他方の孔１２に挿通し、ナット１４留めする。これにより、変圧器押圧部材１が脚部８より脱落するのを防止する。
【００３２】
ここで、変圧器押圧面２は、発泡プラスチック材よりなる。発泡プラスチック材は軽く丈夫で、変圧器１５の凸曲面を押圧しても変形やひび割れすることなくまた滑らないため、安定に変圧器１５を支持する。
【００３３】
缶押圧部５は、高反発性材である高反発ウレタンからなる。高反発ウレタンは変圧器用支持脚を伸張してドラム缶１６の凹曲面を押圧すると、凹曲面に応じて変形することで圧力を均等に分散するため、安定にドラム缶１６を支持する。なお、高反発性があれば高反発ウレタンに限らず、他の高反発性材でもよい。
【００３４】
また、缶押圧面６は、粘着性材であるスチレン系ゴムからなる。変圧器用支持脚をドラム缶１６の内壁に粘着させることができ、仮取付が可能となる。
【００３５】
このように、変圧器用支持脚は圧縮バネ１３を脚部８に有し調整筒部１０を回動させることにより伸縮できるので、変圧器１５とドラム缶１６の内壁との間隔に合わせて変圧器用支持脚を設置することができる。変圧器押圧面２が凹部を有し発泡プラスチック材よりなるので、変圧器１５を安定に支持することができる。また、缶押圧部材４は、高反発ウレタンからなる缶押圧部５とスチレン系ゴムからなる缶押圧面６を有するので、ドラム缶１６の内壁に粘着し変形することで安定にドラム缶１６を支持することができる。
【００３６】
次に、本発明の実施形態に係る変圧器用支持脚の使用方法を説明する。
【００３７】
図６は本発明に係る変圧器用支持脚の使用フロー図、図７〜１０は本発明に係る変圧器用支持脚の使用方法図１〜４を示す。
【００３８】
まず、図７に示すように、変圧器１５をドラム缶１６の中央付近に設置する（ステップ６０１）。
【００３９】
次に、図８に示すように、変圧器１５の周囲３方向に、変圧器用支持脚の調整筒体を缶押圧部５に寄せた状態で、圧縮バネ１３を縮めながらスチレン系ゴムからなる缶押圧面６をドラム缶１６の内壁に粘着させる。（ステップ６０２）。
【００４０】
次に、図９に示すように、圧縮バネ１３を伸張させて仮取付するとともに，変圧器１５の位置を微調整する（ステップ６０３）。缶押圧面６の粘着性と圧縮バネ１３の伸張力により変圧器用支持脚は脱落せず、仮取付することができる。
【００４１】
次に、図１０に示すように、調整筒体を回動させて変圧器押圧部材１側に寄せ、変圧器１５を固定する（ステップ６０４）。調整筒体を変圧器押圧部材１側に寄せ圧縮バネ１３を圧縮するので、圧縮バネ１３が強い伸張力で変圧器１５及びドラム缶１６を押圧する。この圧力により缶押圧部５がドラム缶１６の凹曲面に応じて変形し、また、変圧器押圧面２の凹部が変圧器１５の凸曲面との密着性を向上させるので、確実に変圧器１５をドラム缶１６の中に固定することができる。
【００４２】
このように、スチレン系ゴムからなる缶押圧面６の缶体への接着性および圧縮バネ１３の伸張力により変圧器用支持脚を仮取付することができ，一人の作業でも変圧器１５をドラム缶１６内に固定することができる。なお、変圧器用支持脚は３個に限らず、４個以上でもよい。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【実施例】
【００４４】
変圧器用支持脚を試作し、３方向の変圧器用支持脚により変圧器１５をドラム缶１６内に固定した。そして、変圧器１５を固定したドラム缶１６をトラックで運搬試験し，揺れ・振動を与えたが，ドラム缶１６の破損・変形等なく構造上問題ないことを確認した。
【符号の説明】
【００４５】
１  変圧器押圧部材
２  変圧器押圧面
３  変圧器押圧部
４  缶押圧部材
５  缶押圧部
６  缶押圧面
７  脚部材
８  脚部
９  貫通孔
１０  調整筒部
１１  ボルト
１２  孔
１３  圧縮バネ
１４  ナット
１５変圧器
１６  ドラム缶
【図１】
2012248586.tif 000003
【図２】
2012248586.tif 000004
【図３】
2012248586.tif 000005
【図４】
2012248586.tif 000006
【図５】
2012248586.tif 000007
【図６】
2012248586.tif 000008
【図７】
2012248586.tif 000009
【図８】
2012248586.tif 000010
【図９】
2012248586.tif 000011
【図１０】
2012248586.tif 000012